【事件の表示】
　特願２００１−２３８３７号「遊技機」拒絶査定不服審判事件〔平成１４年８月１３日出願公開、特開２００２−２２４３３６号〕について、次のとおり審決する。
【結　論】
　本件審判の請求は、成り立たない。
【理　由】
１　手続の経緯
　本件に係る出願（以下「本願」という。）は、平成１３年１月３１日の特許出願であって、平成２４年６月１日付けで拒絶査定がなされ（発送日：同年６月５日）、これに対し、同年８月２１日に拒絶査定不服審判の請求がなされたものである。
　
２　本願発明について
　本願の請求項１に係る発明（以下「本願発明」という。）は、平成２３年１月６日の手続補正により補正された明細書及び図面の記載からみて、その特許請求の範囲の請求項１に記載された事項により特定される次のとおりのものである。
「所定の意味を表示するキャラクタ図柄と、所定の数値を表示する数字図柄とが組み合わされて構成され、上記キャラクタ図柄が上記数字図柄の視認を遮らない複合図柄が画面上で変動後、停止して、遊技の結果を表現する図柄表示手段を備えた遊技機であって、
　上記図柄表示手段は、上記複合図柄における上記数字図柄の大きさを略固定した状態で上記キャラクタ図柄を拡大又は縮小させることを特徴とする遊技機。」
　
３　刊行物について
　原査定において提示され、本願の出願前に頒布された刊行物である特開２０００−２１７９９３号公報（以下「刊行物」という。）には、図面と共に次の事項が記載されている。
　ア　「【請求項１】  少なくとも
複数の図柄を可変表示しうる表示装置
遊技者の操作に応じて変化する遊技状況において所定の条件が成立したことを検出する条件成立検出手段と、
前記条件成立検出手段の検出に基づいて、前記
表示装置における図柄の変動表示を行う変動表示制御手段
前記
変動表示制御手段により変動表示されていた図柄が
停止態様となる
少なくとも前記図柄が特定の停止態様となる前段階に、前記表示装置においてリーチ遊技状態を演出表示するリーチ遊技状態演出表示手段とを
備えた遊技機であって
前記リーチ遊技状態演出表示手段は、所定のリーチ遊技状態に際し、前記特定の停止態様に関連する図柄の少なくとも一部を拡大表示するとともに、当該拡大表示された図柄がそれまでよりも多い頻度で出現するかの如く変動表示することを特徴とする遊技機。」（【特許請求の範囲】。下線は当審にて付与。以下同様。）
　イ　「【発明の属する技術分野】本発明は、複数の図柄が変動表示される表示装置を備えたパチンコ機等の遊技機に関するものである。」（段落【0001】）
　ウ　「【発明が解決しようとする課題】ところが、上記従来技術においては、次に記すような課題があった。すなわち、従来では、リーチ状態発生中において、キャラクタが種々の動作を行ったりするといった演出が行われるものの、図柄に関しては、単にスクロール表示がなされたり、コマ送り表示が行われたりする程度であった。このため、図柄に関するさらなる演出内容の充実、ひいては、さらなる興趣の向上が求められていた。
　本発明は、上述した課題に鑑みてなされたものであって、その目的は、複数の図柄が変動表示される表示装置を備えたパチンコ機等の遊技機において、興趣の飛躍的な向上を図ることのできる遊技機を提供することにある。」（段落【0008】〜【0009】）
　エ　「遊技盤２の中央部分には、特別図柄表示装置（以下、単に「表示装置」という）１３が組込まれている。表示装置１３は、液晶ディスプレイ（ＬＣＤ）よりなる表示部１３ａを備えており、ここに複数の図柄列が表示される。図２に示すように、本実施の形態では、これらの図柄列として上図柄列１４、中図柄列１５及び下図柄列１６の３つの図柄列が表示されるが、それ以外の数の図柄列が表示されてもよい。なお、前記表示部１３ａには、背景画面等が適宜表示されるようになっている。
　
各図柄列１４〜１６は
複数種類で複数個の図柄１７Ａ〜１７Ｈと、１種類で複数個の図柄１７Ｋとによって構成されている
図柄１７Ａ〜１７Ｈは
各種「犬」のキャラクタ図柄（絵図柄）ＤＧ１〜ＤＧ８と、「１」〜「８」の数字図柄Ｎ１〜Ｎ８との組合せによって構成されている
　また、図柄１７Ｋは「ハート」のマークによって構成されており、前記図柄１７Ａ〜１７Ｈ間に配置される。さらに、当該図柄１７Ｋは、外れ図柄にのみなりうる。
　図４に示すように、各々の図柄列１４〜１６においては、あたかも草原（背景画面）を、表示される図柄１７Ａ〜１７Ｈ，１７Ｋが、右から左方向へと駆け抜けるかのごとく表示される。
　
表示装置１３の表示部１３ａでは、各図柄列１４〜１６の図柄変動
が
開始させられる
図柄変動は
停止させられる
　オ　「上記リーチ状態においては、種々のリーチパターンが設定されている。リーチパターンとしては、中図柄列１５の図柄１７Ａ〜１７Ｈ，１７Ｋが単にスクロールする「ノーマルリーチ」の外に、キャラクタとしてどろぼうが表示される「どろぼうリーチ（図７（ａ）参照）」、川及び丸太が表示される「丸太リーチ（図７（ｂ）参照）」、背景画面に氷が表示される「氷リーチ（図７（ｃ）参照）」、キャラクタとして女の子が表示される「女の子リーチ（図７（ｄ）参照）」、絵図柄ＤＧ１〜ＤＧ８が拡大表示される「拡大リーチ（図１９参照）」等が設定されている。これらリーチパターンのうち、「ノーマルリーチ」以外のリーチパターンは、いわゆる「スーパーリーチ」と称されるものである。「スーパーリーチ」の動作が開始された場合には、「ノーマルリーチ」の場合に比べて、大当たり状態が発生する期待値（大当たり期待値）が高くなるようになっている。また、「スーパーリーチ」においても、各リーチパターンによって大当たり期待値が異なったものとなっている（例えば、「どろぼうリーチ」よりも「拡大リーチ」の方が大当たり期待値は高い）。これらのリーチパターンは、図８に示すリーチ種別決定カウンタＣＶに基づいて決定される。なお、上記各リーチパターンの動作状態等については後述することとする。」（段落【0033】）
　カ　「さて、ステップＳ９０２又はステップＳ９０４から移行して、ステップＳ９０５においては、リーチ種別決定カウンタＣＶに基づいてリーチパターンを取得する。すなわち、上述した「ノーマルリーチ」、「どろぼうリーチ」、「丸太リーチ」、「氷リーチ」、「女の子リーチ」、「拡大リーチ」のいずれかをリーチ種別決定カウンタＣＶに基づいて決定する。
　そして、ステップＳ９０５又はステップＳ９０６から移行して、ステップＳ９０７においては、特別図柄表示装置１３の図柄変動を開始させ、「変動開始処理ルーチン」を終了する。
　上記のように、ステップＳ９０（「変動開始処理ルーチン」）の処理を実行した後、制御装置２４は、図１５のステップＳ１１０において、上下両図柄列１４，１６における図柄１７Ａ〜１７Ｈ，１７Ｋを、前記ステップＳ９０２，Ｓ９０４，Ｓ９０６のいずれかの処理で記憶した停止図柄に差替える。また、差替え後の図柄１７Ａ〜１７Ｈ，１７Ｋが上下両図柄列１４，１６にて表示されるよう図柄変動を停止させる。
　次に、ステップＳ１２０において、制御装置２４は、リーチ動作処理を行う。詳しくは、図１８の「リーチ動作処理ルーチン」に示すように、ステップＳ１２０１において、ステップＳ９０５で取得したリーチパターンが「ノーマルリーチ」でないか否かを判定する。そして、否定判定された場合（「ノーマルリーチ」の場合）には、ステップＳ１２０２において、制御装置２４は、当該
ノーマルリーチ動作処理を実行する
り詳しくは、
中図柄列１５の図柄１７Ａ〜１７Ｈ，１７Ｋをそれまでよりもゆっくりと変動表示させる
　キ　「さらにまた、前記ステップＳ１２０９で肯定判定された場合には、ステップＳ１２１１に移行する。ステップＳ１２１１においては、ステップＳ９０５で取得したリーチパターンが、「拡大リーチ」でないか否かを判定する。そして、ここで否定判定された場合（「
拡大リーチ
の場合
には
比較的短い所定時間の間、ノーマルリーチ状態と同様の処理を行う
その後
表示部１３ａの中図柄列１５において
リーチ対象となっている図柄
ＤＧ７
拡大表示する
中図柄列１５には、当該拡大された図柄（ＤＧ７）のみを連続的に表示する
　なお、図１９（ｂ），（ｃ）においては、説明の便宜上図示を省略しているが、表示部１３ａの上・下図柄列１４，１６には、図１９（ａ）に示すような停止図柄（１７Ｇ，１７Ｆ，１７Ｈ等）が表示される。但し、当該表示を行わないこととしてもよいし、縮小して表示したりしてもよい。また、図では、絵図柄（ＤＧ７）のみを拡大表示することとしたが、全体の図柄（１７Ｇ：
数字図柄Ｎ７も含めて
表示し
　さらには、一時的、或いは定期的に拡大表示された変動中の図柄を（カムフラージュ的に）停止することとしてもよい。このような構成とすることで、遊技者にとってのわくわくどきどき感がより一層高められる。
　さて、前記ステップＳ１２１１で肯定判定された場合には、いずれのリーチ動作処理をも行うことなく、当該「リーチ動作処理ルーチン」を一旦終了する。また、ステップＳ１２０２，１２０４，１２０６，１２０８，１２１０，１２１２の各リーチ処理動作処理を実行した後においても、当該「リーチ動作処理ルーチン」を一旦終了する。
　上記のように、ステップＳ１２０（「リーチ動作処理ルーチン」）の処理を実行した後、制御装置２４は、ステップＳ１３０（図１５参照）において、中図柄列１５での図柄変動を停止させる。但し、上述した「拡大リーチ」を経た場合には、
図柄を拡大表示させた状態での変動を所定時間行った後
いずれかの状態で停止させる
状態で停止した場合には
絵図柄ＤＧ７が縮小表示され
　ク　「以上詳述したように、本実施の形態によれば、
拡大リーチにおいて
図柄（絵図柄ＤＧ１〜ＤＧ８）が拡大表示される
遊技者は、拡大表示された図柄を注視する
　さらに、本実施の形態では、前記図柄が拡大表示されるに際しては、中図柄列１５をはみ出すくらいの大きさで表示される。このため、表示部１３ａにおいて、当該図柄が占有する割合が大きいものとなる。従って、大当たり図柄で停止しやすいのではないかという遊技者にとっての期待感に拍車がかけられることとなる。
　併せて、拡大表示された図柄は、遊技者にとってほぼ隙間なく表示されているかの如く視認される。このため、上記作用効果がより一層確実に奏される。
　加えて、本実施の形態では、拡大表示された図柄の停止位置に基づいて大当たり状態の発生の有無が遊技者に報知される。すなわち、図１９（ｂ）の状態で停止した場合には、同図では左側に表示されていた絵図柄ＤＧ７が縮小表示され、図２０（ａ）に示すように、最終的に大当たり図柄（図では図柄１７Ｇ）が表示される。つまり、大当たりラインＬ１上に大当たり図柄たる図柄１７Ｇが並んで表示される。一方、図１９（ｃ）の状態で停止した場合には、同図では中央に表示されていた絵図柄ＤＧ７が縮小表示され、図２０（ｂ）に示すように、最終的に中央に図柄１７Ｇが表示される。つまり、大当たりラインＬ１上には外れ図柄たる図柄１７Ｋが並んで表示される。従って、遊技者は、どの種類の図柄で停止されるかということよりも、むしろ拡大表示された図柄がどの位置で停止されるかということに興味が注がれる。このため、拡大リーチ独特の感覚を覚えることにより、さらなる興趣の向上が図られる。
　また、上記作用とも相まって、拡大リーチに突入した場合には、見かけ上２分の１の期待値をもって大当たり状態が発生しうる。そのため、遊技者にとっての期待感が一層増大し、さらに面白味が増す。
　さらに、本実施の形態では、図柄１７Ａ〜１７Ｈは複数の図柄因子（数字図柄Ｎ１〜Ｎ８及び絵図柄ＤＧ１〜ＤＧ８）によって構成され、かつ、前記絵図柄ＤＧ１〜ＤＧ８のみが拡大表示される。従って、当該犬（キャラクタ）の絵のみに興味が集中し、他のリーチ状態とは異なった興趣を堪能することができる。
　併せて、拡大表示された図柄は、その変動停止後において、元の大きさに縮小表示される。従って、
縮小表示された図柄１７Ａ〜１７Ｈを確認することにより、大当たりラインＬ１〜Ｌ５に大当たり図柄が揃ったか否かを最終的に確認することができる
遊技者にとって
　尚、上記実施の形態の記載内容に限定されず、例えば次のように実施してもよい。
　（ａ）上記実施の形態では、図柄１７Ａ〜１７Ｈとして、絵（キャラクタ）図柄ＤＧ１〜ＤＧ８及び数字図柄Ｎ１〜Ｎ８の組み合わせを採用することとしたが、絵図柄及び他の絵図柄の組み合わせ等、実施の形態以外の図柄因子同士を組み合わせてもよい。さらに、３種以上の図柄因子同士を組み合わせてもよい。また、１つの図柄因子のみからなる図柄（例えばキャラクタ図柄のみ、数字図柄のみ等）を採用してもよい。
　（ｂ）上記実施の形態では、拡大表示するに際し、数字図柄の表示を省略して、絵図柄ＤＧ１〜ＤＧ８のみを変動表示することとしたが、上述したように、数字図柄Ｎ１〜Ｎ８を合わせて表示してもよい。また、別のキャラクタを合わせて表示してもよい。
　（ｃ）上記実施の形態では、左側の大当たりラインＬ１についての拡大リーチ状態について詳述したが、他の大当たりラインＬ２〜Ｌ５においても、同等のリーチ演出を行うことができる。例えば、中央の大当たりラインＬ３でリーチ状態となった場合には、図１９（ｃ）のように拡大表示された図柄が中央で停止した場合に大当たり状態が発生することとしてもよい。」（段落【0085】〜【0095】）
　ケ　上記エの記載事項及び【図２】〜【図７】、【図１９】、【図２０】の図示内容によると、表示装置１３の表示部１３ａに、
数字図柄はキャラクタ図柄によって視認を遮らない状態で表示され
　
　上記ア〜クの記載事項、上記ケの認定事項、及び、図面の図示内容を総合勘案すると刊行物には、次の発明が記載されていると認められる。 
「各図柄列１４〜１６は複数種類で複数個の図柄１７Ａ〜１７Ｈと、１種類で複数個の図柄１７Ｋとによって構成され、そのうち、各図柄１７Ａ〜１７Ｈは、各種「犬」のキャラクタ図柄（絵図柄）ＤＧ１〜ＤＧ８と、「１」〜「８」の数字図柄Ｎ１〜Ｎ８との組合せによって構成され、数字図柄はキャラクタ図柄によって視認を遮らない状態で表示されるものであり、
　複数の図柄を表示装置１３において、変動表示を行い、その際、数字図柄Ｎ７も含めて表示され、変動表示されていた図柄を停止態様にて停止させる変動表示制御手段を備えた遊技機であって、
　拡大リーチにおいて、比較的短い所定時間の間、中図柄列１５の図柄１７Ａ〜１７Ｈ，１７Ｋをそれまでよりもゆっくりと変動表示させるノーマルリーチ状態と同様の処理を行い、その後、遊技者に注視されるように、中図柄列１５のリーチ対象となっているキャラクタ図柄を拡大表示し、その際に、当該キャラクタ図柄に対応する数字図柄も図柄に含めて表示し、キャラクタ図柄を拡大表示された状態で所定時間変動させた後、縮小表示された状態で停止させ、遊技者が縮小表示された図柄１７Ａ〜１７Ｈを確認することにより、大当たりラインＬ１〜Ｌ５に大当たり図柄が揃ったか否かを最終的に確認できる遊技機。」
　
４　対比
　本願発明と刊行物に記載された発明とを対比する。
　刊行物に記載された発明の「各図柄１７Ａ〜１７Ｈは、各種「犬」のキャラクタ図柄（絵図柄）ＤＧ１〜ＤＧ８と、「１」〜「８」の数字図柄Ｎ１〜Ｎ８との組合せによって構成され」ることは、その構成及び機能からみて、本願発明の「所定の意味を表示するキャラクタ図柄と、所定の数値を表示する数字図柄とが組み合わされて構成され」るものに相当し、以下同様に、
　刊行物に記載された発明の「数字図柄はキャラクタ図柄によって視認を遮らない状態で表示されるものであり、複数の図柄を表示装置１３において、変動表示を行い、その際、数字図柄Ｎ７も含めて表示され、変動表示されていた図柄を停止態様にて停止させる変動表示制御手段」を備えることは、本願発明の「キャラクタ図柄が数字図柄の視認を遮らない複合図柄が画面上で変動後、停止して、遊技の結果を表現する図柄表示手段」を備えることに、
　刊行物に記載された発明の「遊技機」は、本願発明の「遊技機」にそれぞれ相当する。
　そして、刊行物に記載された発明の「拡大リーチにおいて、比較的短い所定時間の間、中図柄列１５の図柄１７Ａ〜１７Ｈ，１７Ｋをそれまでよりもゆっくりと変動表示させるノーマルリーチ状態と同様の処理を行い、その後、遊技者に注視されるように、中図柄列１５のリーチ対象となっているキャラクタ図柄を拡大表示し、その際に、当該キャラクタ図柄に対応する数字図柄も図柄に含めて表示し、キャラクタ図柄を拡大表示された状態で所定時間変動させた後、縮小表示された状態で停止させ」ることと、本願発明の「図柄表示手段は、複合図柄における数字図柄の大きさを略固定した状態でキャラクタ図柄を拡大又は縮小させる」こととを対比する。
　刊行物に記載された発明において、拡大リーチにおいて、ノーマルリーチ状態と同様の処理が比較的短い所定時間の間行われる際、図柄は、数字図柄Ｎ１〜Ｎ８とキャラクタ図柄（絵図柄）ＤＧ１〜ＤＧ８との組合せによって縮小表示されるものであり、その後、キャラクタ図柄が拡大表示される際、キャラクタ図柄に対応する数字図柄も図柄に含めて表示されるものであるから、数字図柄は、拡大リーチの期間を通して表示されているものといえる。
　したがって、両者は、「図柄表示手段は、複合図柄における数字図柄を表示した状態でキャラクタ図柄を拡大又は縮小させる」ことで共通する。
　
　したがって、両者の一致点および相違点は、次のとおりである。
［一致点］
「所定の意味を表示するキャラクタ図柄と、所定の数値を表示する数字図柄とが組み合わされて構成され、上記キャラクタ図柄が上記数字図柄の視認を遮らない複合図柄が画面上で変動後、停止して、遊技の結果を表現する図柄表示手段を備えた遊技機であって、
　上記図柄表示手段は、上記複合図柄における上記数字図柄を表示した状態で上記キャラクタ図柄を拡大又は縮小させることを特徴とする遊技機。」
　
［相違点］
　図柄表示手段が、本願発明では、複合図柄における数字図柄の大きさを略固定した状態でキャラクタ図柄を拡大又は縮小させるのに対して、刊行物に記載された発明では、数字図柄が表示された状態でキャラクタ図柄を拡大又は縮小させるが、数字図柄の大きさが略固定されているのか否か不明である点。
　
５　当審による判断
　上記相違点について検討する。
　刊行物に記載された発明では、拡大リーチにおいて、キャラクタ図柄を拡大表示するのは、遊技者に注視されるためである。
　そして、拡大リーチにおいては、キャラクタ図柄を拡大表示する際、数字図柄も図柄に含めて表示される。ここで、刊行物に記載された発明は、遊技者に注視されるために数字図柄でなくキャラクタ図柄を拡大表示するものであることから、数字図柄について、遊技者に注視されるために拡大表示させる必要性は低いといえる。
　また、刊行物に記載された発明では、キャラクタ図柄を縮小表示された状態で停止させたときに、遊技者が縮小表示された図柄１７Ａ〜１７Ｈを確認することにより、大当たりラインＬ１〜Ｌ５に大当たり図柄が揃ったか否かを最終的に確認できるものであるから、図柄１７Ａ〜１７Ｈに含まれる数字図柄Ｎ１〜Ｎ８について、遊技者が視認により確認できる大きさを有することは当業者にとって明らかである。
　そうすると、拡大リーチにおいて、キャラクタ図柄を拡大表示する際に表示される数字図柄の大きさを、拡大表示されたキャラクタ図柄の表示の妨げとならない範囲で、遊技者が視認により確認できる大きさを確保できるように、縮小表示された図柄１７Ａ〜１７Ｈにおける数字図柄の大きさと略同じ大きさに固定することは、当業者が必要に応じて容易になし得たものといえる。
　また、本願発明の奏する効果についてみてみても、刊行物に記載された発明から当業者が予測できた効果の範囲内のものである。
　
６　むすび
　以上のとおりであるから、本願発明は、刊行物に記載された発明に基づいて当業者が容易に発明をすることができたものであり、特許法第２９条第２項の規定により特許を受けることができない。
　したがって、本願のその他の請求項に係る発明について検討するまでもなく、本願は拒絶すべきものである。
　
　よって、結論のとおり審決する。